(57)【特許請求の範囲】
【請求項１】
同調層と透明層とを含むフィルムの前記同調層と前記透明層との位置合わせに用いられ、かつ前記透明層と光沢度又は色味が異なる透明な見当マークを、前記フィルムの前記透明層の側から観察するための透明見当マークの観察方法であって、
前記透明層に対して斜め方向から照明光を照射し、該照明光によって照射された見当マークを前記透明層から前記照明光が反射する側でかつ前記透明層に対して斜め方向から撮影して前記見当マークの白飛び画像を取得する、ことを特徴とする透明見当マークの観察方法。
【請求項２】
ストロボ発光装置を発光させて前記照明光を得ることを特徴とする請求項１に記載の観察方法。
【請求項３】
同調層と透明層とを含むフィルムの前記同調層と前記透明層との位置合わせに用いられ、かつ前記透明層と光沢度又は色味が異なる透明な見当マークを、前記フィルムの前記透明層の側から観察するための透明見当マークの観察装置であって、
前記透明層に対して斜め方向から照明光を照射する照明手段と、
前記照明光によって照射された見当マークを前記照明光が反射する側でかつ前記透明層に対して斜め方向から撮影して前記見当マークの白飛び画像を取得する撮影手段と、
を備えたことを特徴とする透明見当マークの観察装置。
【請求項４】
前記撮影手段は前記照明光が反射する側でかつ前記透明層に対して斜め方向に傾けられた撮影光軸を有するカメラを含み、前記照明手段の照明光軸及び前記カメラの前記撮影光軸のそれぞれの前記透明層に対する傾斜角が調整可能であることを特徴とする請求項３に記載の透明見当マークの観察装置。
【請求項５】
前記照明手段としてストロボ発光装置が使用されることを特徴とする請求項３又は４に記載の透明見当マークの観察装置。
【発明の詳細な説明】
【技術分野】
【０００１】
本発明は、絵柄、模様等の意匠が施された同調層と透明層とを位置合わせするための透明な見当マークを観察する方法及び装置に関する。
【背景技術】
【０００２】
壁紙、あるいは化粧紙等の建材の分野では、絵柄、模様等の意匠を表現するための同調層が印刷された基材上に、艶の差がある２種類以上の透明インクを組み合わせて印刷することにより、同調層によって描かれた意匠に擬似的な凹凸感を付与する技術が用いられている。このような表現技術を用いる場合、透明インクによって形成された透明層を同調層に対して位置合わせする必要があり、そのために従来は透明層に見当マークを設け、その見当マークを利用して同調層と透明層とを位置合わせしている。なお、本願発明に関連する先行技術文献としては、建材における一般的な見当合わせ技術を開示するもの（例えば特許文献１）、絵柄に同調して艶消しインクを印刷する技術を開示するもの（例えば特許文献２）、見当を合わせた透明な表面保護層を備えた化粧シートを開示するもの（例えば特許文献３）が存在する。
【０００３】
【特許文献１】特開平８−２２４８６２号公報
【特許文献２】特開昭５２−３８００２号公報
【特許文献３】特開平５−６４９５２号公報
【発明の開示】
【発明が解決しようとする課題】
【０００４】
ところが、透明層上の見当マークは透明インクにて形成されているため、目視による確認が難しい。特に、高速連続印刷中に目視で見当マークを確認することは極めて困難である。このため、高速連続印刷を行う場合には、印刷停止後に巻き取られた製品を抜き取り検査しており、位置合わせ不良が生じたときは既に巻き取られている製品の全量が不良となってしまう問題がある。
【０００５】
そこで、本発明は同調層と透明層とを位置合わせするための透明な見当マークを従来よりも容易に観察できる方法及び装置を提供することを目的とする。
【課題を解決するための手段】
【０００６】
本発明の観察方法は、同調層（５２）と透明層（５４）とを含むフィルム（５０）の前記同調層と前記透明層との位置合わせに用いられ、かつ前記透明層と光沢度又は色味が異なる透明な見当マーク（５５）を、前記フィルムの前記透明層の側から観察するための透明見当マークの観察方法であって、前記透明層に対して斜め方向から照明光を照射し、該照明光によって照射された見当マークを前記透明層から前記照明光が反射する側でかつ前記透明層に対して斜め方向から撮影して前記見当マークの白飛び画像を取得することにより、上述した課題を解決する。
【０００７】
また、本発明の観察装置（１）は、同調層（５２）と透明層（５４）とを含むフィルム（５０）の前記同調層と前記透明層との位置合わせに用いられ、かつ前記透明層と光沢度又は色味が異なる透明な見当マーク（５５）を、前記フィルムの前記透明層の側から観察するための透明見当マークの観察装置であって、前記透明層に対して斜め方向から照明光を照射する照明手段（２）と、前記照明光によって照射された見当マークを前記照明光が反射する側でかつ前記透明層に対して斜め方向から撮影して前記見当マークの白飛び画像を取得する撮影手段（３、１０、１５）とを備えることにより、上述した課題を解決する。
【０００８】
本発明の観察方法及び観察装置によれば、透明な見当マークを白飛びさせて撮影することにより、見当マークを画像上で白色なマークとして鮮明に出現させることができるので、透明な見当マークを容易かつ明確に観察することが可能となる。
【０００９】
本発明の観察装置の一形態において、前記撮影手段は前記照明光が反射する側でかつ前記透明層に対して斜め方向に傾けられた撮影光軸（３ａ）を有するカメラ（３）を含み、前記照明手段の照明光軸（２ａ）及び前記カメラの前記撮影光軸のそれぞれの前記透明層に対する傾斜角が調整可能であってもよい。この形態によれば、照明光の照射方向及び照明された見当マークの撮影方向を、透明層の材質、光沢度等の物理的特性に応じて、見当マークが白飛び状態で撮影されるために最適な位置に設定することができる。
【００１０】
また、本発明の観察方法及び観察装置の一形態においては、ストロボ発光装置を照明手段として使用し、そのストロボ発光装置を発光させて照明光を得るようにしてもよい。この形態によれば、同調層及び透明層が高速で走行又は搬送されている場合でも、ストロボ照明装置からの短時間の照明により見当マークを静止させた状態で撮影することができる。
【００１１】
なお、以上の説明では本発明の理解を容易にするために添付図面の参照符号を括弧書きにて付記したが、それにより本発明が図示の形態に限定されるものではない。
【発明の効果】
【００１２】
以上に説明したように、本発明の観察方法及び装置によれば、透明な見当マークを斜め方向から照明し、その照明された見当マークを斜め方向から撮影することにより、見当マークの白飛び画像を取得しているので、透明な見当マークを容易かつ明確に観察することが可能となる。
【発明を実施するための最良の形態】
【００１３】
図１は本発明の一形態に係る見当マークの観察装置を示している。この形態の観察装置１は、壁紙等の建材として利用されるフィルム５０の印刷機に組み込まれる。フィルム５０は、印刷機の一対のローラＲ１、Ｒ２に巻き掛けられて図中の矢印Ｆで示す方向に高速で搬送される。図３Ａに示すように、フィルム５０は基材５１上に絵柄、模様等の意匠を表現するための同調層５２が印刷され、その同調層５２上に艶消し樹脂層５３が印刷され、さらにその艶消し樹脂層５３上に艶出し樹脂層５４が印刷された構成を有している。艶消し樹脂層５３及び艶出し樹脂層５４はいずれも透明な樹脂からなり、その光沢度（グロス値）は艶消し樹脂層５３よりも艶出し樹脂層５４の方が高い。また、艶消し樹脂層５３は同調層５２を全面的に被覆するように設けられるが、艶出し樹脂層５４は同調層５２によって描かれる意匠を選択的に覆うようにして形成される。例えば、同調層５２によって木目の導管を表現し、その導管部分が艶出し樹脂層５４の隙間部Ａと一致するように艶出し樹脂層５４を形成することにより、同調層５２によって表現された導管部分を窪んだように見せることができる。
【００１４】
上記のようなフィルム５０では、同調層５２の意匠に対して艶出し樹脂層５４を適切な位置に形成する必要がある。このため、図３Ｂに示したように、フィルム５０には、同調層５２に対して艶出し樹脂層５４を位置合わせするための見当マーク５５が設けられる。見当マーク５５は一例として十字型であるが、その形状は位置合わせが可能な限りにおいて適宜の形状でよい。見当マーク５５は一例として艶出し樹脂層５４に設けられるが、同調層５２、あるいは艶消し樹脂層５３に設けられることもある。見当マーク５５は透明インクにて形成されており、目視では容易には把握できない。なお、ここでいう透明とは無色透明に限らず、淡黄色、パール等のように幾らかの色味を帯びているものも含む。
【００１５】
図１に戻って説明を続ける。上記のような透明な見当マーク５５を観察するため、観察装置１は、一対の照明器２及びカメラ３を備えている。照明器２はその光軸がローラＲ１、Ｒ２間を走行するフィルム５０の表面（下面）に対して斜めに傾くようにして配置され手いる。カメラ３は、その撮影光軸が照明器２の照明光軸に対して反対方向に傾くようにしてローラＲ１、Ｒ２間のフィルム５０の表面に向けられている。言い換えれば、カメラ３は、フィルム５０の照明範囲の全部又は一部を、照明器２からの照明光が反射する側でかつフィルム５０に対して斜め方向から撮影するように設けられている。照明器２の照明範囲及びカメラ３の撮影範囲はフィルム５０上で重複しており、かつそれらの範囲はフィルム５０の見当マーク５５が含まれるように設定される。
【００１６】
フィルム５０の表面に対する照明器２及びカメラ３の傾きはそれぞれ独立して調整可能である。例えば、図２に示すように、観察装置１は、印刷機に設置されるホルダ４を備えており、そのホルダ４には円弧状の溝５、６が形成されている。照明器２及びカメラ３はそれぞれ溝５、６に沿って位置調整可能な状態でホルダ４に取り付けられている。照明器２及びカメラ３の溝５、６上の位置をそれぞれ変化させることにより、フィルム５０上の照明範囲の中心に引いた法線ＮＬに対する照明器２の照明光軸２ａ及びカメラ３の撮影光軸３ａの傾斜角θａ、θｂを互いに独立して変化させることができる。なお、図２において、光軸２ａ、３ａは法線ＮＬを挟んで対称に描かれているが、傾斜角θａ、θｂは必ずしも一致させる必要はない。照明器２及びカメラ３の角度調整は円弧状の溝５、６を利用するものに限らず、適宜に変更可能である。照明器２としては、例えばストロボ照明装置のような閃光装置を用いることができる。カメラ３は、撮影倍率を拡大するためのクローズアップレンズ３ｂ、撮影倍率を変化させるための電動ズーム部３ｃ及びＣＣＤ、ＣＭＯＳ等の光電変換素子アレイを含んだカメラ受光部３ｄを備えている。
【００１７】
図１に示すように、観察装置１は、信号処理装置１０、中継装置１１、操作盤１２及びモニタ１３を備えている。信号処理装置１０は、照明器２の駆動及びカメラ３から出力される画像信号の処理を実行する。中継装置１１は信号処理装置１０から与えられる発光指示に従って照明器２を発光させる照明器駆動回路１４、及びカメラ３から出力される画像信号を増幅するカメラアンプ１５を備えている。操作盤１２はオペレータによる撮影条件の設定を受け付け、その設定された撮影条件に対応する設定信号を信号処理装置１０に与える。信号処理装置１０は操作盤１２にて設定された撮影条件に従って照明器２の発光を制御する。また、カメラアンプ１５から信号処理装置に入力された画像信号はＡ／Ｄ変換され、所定の画像処理を施されて信号処理装置１０の内部メモリに記憶される。また、内部メモリに記憶された画像はモニタ１３に静止画像として出力される。なお、信号処理装置１０に対して設定される撮影条件としては、照明器２の発光強度、発光時間、発光間隔、カメラ３の露出条件、ズーム率、カメラ３から出力される画像信号の増幅率（ゲイン）、感度等が含まれる。撮影条件の全部を操作盤１２にて設定可能としてもよいし、撮影条件の少なくとも一部が設定変更不可能な条件として信号処理装置１０に予め与えられてもよい。
【００１８】
以上のような観察装置１において、照明器２から照射される照明光の強度と、カメラ３側の露出条件は、見当マーク５５が白飛び画像として撮影されるように設定される。つまり、見当マーク５５で反射してカメラ３に入射する光の強度が、カメラ３側における感度範囲の上限を超えるように、照明強度及びカメラ３における露出条件との関係が設定される。例えば、照明器２の発光量を一定に固定する一方で、見当マーク５５が白飛びするようにカメラ３の絞りを調整することにより、上記の関係を満たすことができる。そして、信号処理装置１０はフィルム５０の走行中に適宜のタイミングで照明器２を発光させ、その照明器２からの照明光で照射された見当マーク５５の画像信号をカメラ３から取得して撮影画像データとして内部メモリに記憶し、かつその内部メモリに記憶した画像をモニタ１３に表示させる。照明器２の発光時間をフィルム５０の走行速度に対して十分に短く設定することにより、モニタ１３には、見当マーク５５を含む所定の撮影範囲の静止画像が表示され、しかも、その静止画像において見当マーク５５は白飛び状態で現われる。これにより、見当マーク５５が透明であっても、見当マーク５５を肉眼で容易に観察し、同調層５２と艶出し樹脂層５４との位置合わせの良否を判別することができる。
【００１９】
以上の形態の観察装置１を試作し、見当マーク５５の光沢度と照明器２及びカメラ３のそれぞれの傾斜角θａ、θｂ（図２）との関係を調査したところ、光沢度が比較的低い見当マーク（グロス値で２５〜３０）の場合には傾斜角θａ、θｂがともに３５°程度、光沢度が比較的高い見当マーク、あるいは淡黄色、パール系の色味を有する見当マークの場合には照明器２の傾斜角θａが３５°、カメラ３の傾斜角θｂが７０°程度に設定したときに見当マークを鮮明に撮影できることが確認された。
【００２０】
以上の形態では、照明器２が照明手段に相当し、カメラ３、カメラアンプ１５及び信号処理装置１０の組み合わせが撮影手段に相当する。但し、本発明は上述した形態に限るものではなく、種々の形態にて実施してよい。例えば、照明手段は、走行中のフィルムを静止画像として撮影できる範囲の短時間で照明をオンオフでき、かつ見当マークを白飛びさせる得る強度の照明光を照射できるものであればストロボ発光装置に限らず適宜に変更可能である。撮影手段は、照明光で照射された見当マークを白飛び状態で表示させるように感度調整できるものであれば適宜に変更してよい。本発明は、建材用のフィルムの見当マークに限らず、透明な見当マークを観察する必要がある各種の分野において適用可能である。上記の形態では撮影画像を静止画像として記憶し、モニタに表示させているが、本発明はこれに限らず、見当マークを含んだ観察対象物を動画で記録し、これを適宜の方法で解析して位置合わせ状態を判別するような自動処理装置と組み合わせてもよい。
【図面の簡単な説明】
【００２１】
【図１】本発明の一形態に係る観察装置を示す図。
【図２】図１の観察装置の照明器及びカメラの取付部分の拡大図。
【図３Ａ】観察対象となる建材フィルムの層構成を示す断面図。
【図３Ｂ】建材フィルムに設けられた透明な見当マークの一例を示す図。
【符号の説明】
【００２２】
１  観察装置
２  照明器（照明手段）
３  カメラ（撮影手段）
１０  信号処理装置（撮影手段）
１１  中継装置
１２  操作盤
１３  モニタ
１５  カメラアンプ（撮影手段）
５０  フィルム
５２  同調層
５４  艶出し樹脂層（透明層）
５５  見当マーク
【図１】
0004839761.tif 000002
【図２】
0004839761.tif 000003
【図３Ａ】
0004839761.tif 000004
【図３Ｂ】
0004839761.tif 000005